【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
ホーム内側と軌道側とに仕切るようにプラットホームに設置され、入線する車両のドア位置に応じて扉体を開閉駆動することによって乗降口を開閉するホームドア装置であって、
一対のガイドボックスと、各ガイドボックスにそれぞれ１つずつ設けられた扉体とを有し、第１乗降口を開閉する両引き式の第１ホームドアユニットと、
前記第１ホームドアユニットの一方のガイドボックスとの間に第２乗降口を形成するように設置される戸袋体と、前記第２乗降口を片引き式に開閉する扉体とを有する第２ホームドアユニットと、
前記第１ホームドアユニットの他方のガイドボックスとの間に第３乗降口を形成するように設置される戸袋体と、前記第３乗降口を片引き式に開閉する扉体とを有する第３ホームドアユニットと、を備え、
前記第１ホームドアユニットにおいて、前記扉体の幅は前記ガイドボックスの幅よりも大きく、
前記第１乗降口を開放するときに、前記第１ホームドアユニットの前記一方のガイドボックスに設けられた前記扉体の戸尻が、前記第２ホームドアユニットの扉体に対して前記ホーム内側に突出しないように設けられ、
前記第１乗降口を開放するときに、前記第１ホームドアユニットの前記他方のガイドボックスに設けられた前記扉体の戸尻が、前記第３ホームドアユニットの扉体に対して前記ホーム内側に突出しないように設けられ、
入線する車両のドア位置に応じて、開閉する扉体を変更するホームドア装置。
【請求項２】
前記第２ホームドアユニットの扉体は、閉じ位置にあるときに前記第１ホームドアユニットの前記一方のガイドボックスの戸尻端に隣接する請求項１に記載のホームドア装置。
【請求項３】
前記第２乗降口を開放するときには、前記一方のガイドボックスに設けられた前記扉体を駆動することなく、前記第２ホームドアユニットの扉体が前記第２ホームドアユニットの戸袋体内に収納されることによって、前記第２乗降口が開放され、
前記第３乗降口を開放するときには、前記他方のガイドボックスに設けられた前記扉体を駆動することなく、前記第３ホームドアユニットの扉体が前記第３ホームドアユニットの戸袋体内に収納されることによって、前記第３乗降口が開放される請求項１又は２に記載のホームドア装置。
【請求項４】
ホーム内側と軌道側とに仕切るようにプラットホームに設置され、入線する車両のドア位置に応じて扉体を開閉駆動することによって乗降口を開閉するホームドア装置であって、
一対のガイドボックスと、各ガイドボックスにそれぞれ１つずつ設けられた扉体とを有し、車両の中央位置に設けられる乗降ドアに対応して設置される両引き式の第１ホームドアユニットと、
前記第１ホームドアユニットの一方のガイドボックスとの間に乗降口を形成するように設置される戸袋体と、前記一方のガイドボックスとの間の乗降口を開閉する第１扉体と、前記戸袋体に対して前記一方のガイドボックスとは反対側の端側の乗降口を開閉する第２扉体と、を有する第２ホームドアユニットと、
前記第１ホームドアユニットの他方のガイドボックスとの間に乗降口を形成するように設置される戸袋体と、前記他方のガイドボックスとの間の乗降口を開閉する第１扉体と、前記戸袋体に対して前記他方のガイドボックスとは反対側の端側の乗降口を開閉する第２扉体と、を有する第３ホームドアユニットと、を備え、
前記第１ホームドアユニットにおいて、前記扉体の幅は前記ガイドボックスの幅よりも大きく、
前記第１乗降口を開放するときに、前記第１ホームドアユニットの前記一方のガイドボックスに設けられた前記扉体の戸尻が、前記第２ホームドアユニットの扉体に対して前記ホーム内側に突出しないように設けられ、
前記第１乗降口を開放するときに、前記第１ホームドアユニットの前記他方のガイドボックスに設けられた前記扉体の戸尻が、前記第３ホームドアユニットの扉体に対して前記ホーム内側に突出しないように設けられ、
入線する車両のドア位置に応じて、開閉する扉体を変更するホームドア装置。
【請求項５】
前記第２ホームドアユニットの前記第１扉体及び前記第２扉体は、前記第２ホームドアユニットの前記戸袋体に収納され、
前記第３ホームドアユニットの前記第１扉体及び前記第２扉体は、前記第３ホームドアユニットの前記戸袋体に収納される請求項４に記載のホームドア装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
前記の目的を達成するため、本発明は、ホーム内側と軌道側とに仕切るようにプラットホームに設置され、入線する車両のドア位置に応じて扉体を開閉駆動することによって乗降口を開閉するホームドア装置であって、一対のガイドボックスと、各ガイドボックスにそれぞれ１つずつ設けられた扉体とを有し、第１乗降口を開閉する両引き式の第１ホームドアユニットと、前記第１ホームドアユニットの一方のガイドボックスとの間に第２乗降口を形成するように設置される戸袋体と、前記第２乗降口を片引き式に開閉する扉体とを有する第２ホームドアユニットと、前記第１ホームドアユニットの他方のガイドボックスとの間に第３乗降口を形成するように設置される戸袋体と、前記第３乗降口を片引き式に開閉する扉体とを有する第３ホームドアユニットと、を備え、前記第１ホームドアユニットにおいて、前記扉体の幅は前記ガイドボックスの幅よりも大きく、前記第１乗降口を開放するときに、前記第１ホームドアユニットの前記一方のガイドボックスに設けられた前記扉体の戸尻が、前記第２ホームドアユニットの扉体に対して前記ホーム内側に突出しないように設けられ、前記第１乗降口を開放するときに、前記第１ホームドアユニットの前記他方のガイドボックスに設けられた前記扉体の戸尻が、前記第３ホームドアユニットの扉体に対して前記ホーム内側に突出しないように設けられ、入線する車両のドア位置に応じて、開閉する扉体を変更するホームドア装置である。
【手続補正５】
【補正対象書類名】明細書
【補正対象項目名】０００９
【補正方法】変更
【補正の内容】
【０００９】
本発明では、入線する列車のドア位置に応じて開閉する扉体が変更されるので、プラットホームにドア数の異なる車両の列車が入線する場合であっても、そのドア位置に応じた乗降口を開閉することができる。したがって、本発明のホームドア装置によれば、ドア数の異なる車両が入線してくるプラットホームにも設置することが可能となる。
【手続補正６】
【補正対象書類名】明細書
【補正対象項目名】００１１
【補正方法】変更
【補正の内容】
【００１１】
また、前記ガイドボックスの幅は、前記扉体の幅よりも短い。車両の中央位置に乗降ドアのある奇数の乗降ドアを有する車両と、中央位置からずれたところに乗降ドアが設定された偶数の乗降ドアを有する車両とでは、車両の中央付近において乗降ドア位置が僅かにずれているが、本発明では、第１ホームドアユニットのガイドボックスの幅を短くすることができるので、車両によって中央付近の乗降ドア位置が僅かにずれても、乗降ドアの位置に応じた位置に乗降口を設定し易くなる。言い換えると、第１乗降口と第２乗降口との間隔をより小さくすることができるとともに、第１乗降口と第３乗降口との間隔をより小さくすることができる。
【手続補正７】
【補正対象書類名】明細書
【補正対象項目名】００１２
【補正方法】変更
【補正の内容】
【００１２】
前記第２ホームドアユニットの扉体は、閉じ位置にあるときに前記第１ホームドアユニットの前記一方のガイドボックスの戸尻端に隣接するのが好ましい。
前記第２乗降口を開放するときには、前記一方のガイドボックスに設けられた前記扉体を駆動することなく、前記第２ホームドアユニットの扉体が前記第２ホームドアユニットの戸袋体内に収納されることによって、前記第２乗降口が開放され、前記第３乗降口を開放するときには、前記他方のガイドボックスに設けられた前記扉体を駆動することなく、前記第３ホームドアユニットの扉体が前記第３ホームドアユニットの戸袋体内に収納されることによって、前記第３乗降口が開放されるのが好ましい。
【手続補正８】
【補正対象書類名】明細書
【補正対象項目名】００１３
【補正方法】変更
【補正の内容】
【００１３】
本発明は、ホーム内側と軌道側とに仕切るようにプラットホームに設置され、入線する車両のドア位置に応じて扉体を開閉駆動することによって乗降口を開閉するホームドア装置であって、一対のガイドボックスと、各ガイドボックスにそれぞれ１つずつ設けられた扉体とを有し、車両の中央位置に設けられる乗降ドアに対応して設置される両引き式の第１ホームドアユニットと、前記第１ホームドアユニットの一方のガイドボックスとの間に乗降口を形成するように設置される戸袋体と、前記一方のガイドボックスとの間の乗降口を開閉する第１扉体と、前記戸袋体に対して前記一方のガイドボックスとは反対側の端側の乗降口を開閉する第２扉体と、を有する第２ホームドアユニットと、前記第１ホームドアユニットの他方のガイドボックスとの間に乗降口を形成するように設置される戸袋体と、前記他方のガイドボックスとの間の乗降口を開閉する第１扉体と、前記戸袋体に対して前記他方のガイドボックスとは反対側の端側の乗降口を開閉する第２扉体と、を有する第３ホームドアユニットと、を備え、前記第１ホームドアユニットにおいて、前記扉体の幅は前記ガイドボックスの幅よりも大きく、前記第１乗降口を開放するときに、前記第１ホームドアユニットの前記一方のガイドボックスに設けられた前記扉体の戸尻が、前記第２ホームドアユニットの扉体に対して前記ホーム内側に突出しないように設けられ、前記第１乗降口を開放するときに、前記第１ホームドアユニットの前記他方のガイドボックスに設けられた前記扉体の戸尻が、前記第３ホームドアユニットの扉体に対して前記ホーム内側に突出しないように設けられ、入線する車両のドア位置に応じて、開閉する扉体を変更するホームドア装置である。
前記第２ホームドアユニットの前記第１扉体及び前記第２扉体は、前記第２ホームドアユニットの前記戸袋体に収納され、前記第３ホームドアユニットの前記第１扉体及び前記第２扉体は、前記第３ホームドアユニットの前記戸袋体に収納されるのが好ましい。